【事件の表示】
　平成６年特許願第２８１号「電子写真感光体、該電子写真感光体を有する電子写真装置および装置ユニット」拒絶査定に対する審判事件［平成６年１０月２１日出願公開、特開平６−２９５０８５］について、次のとおり審決する。
【結　論】
　本件審判の請求は、成り立たない。
【理　由】
１．本願発明
　本願は、平成５年１月６日に出願した特願平５−７５５号出願に基づく優先権を主張して、平成６年１月６日に出願されたものであって、その特許を受けようとする発明は、平成１３年２月２６日付け手続補正書、及び平成１３年６月１日付け手続補正書により補正された明細書及び図面の記載からみて、その特許請求の範囲の請求項１ないし５に記載された以下のとおりのものである。
【請求項１】導電性支持体上に電荷発生層、電荷輸送層および保護層をこの　順に有する電子写真感光体において、該保護層が導電性粒子、フッ素原子　含有樹脂粒子、結着樹脂およびシランカップリング剤を含有することを特　徴とする電子写真感光体。
【請求項２】前記導電性粒子がシランカップリング剤により表面処理されて　いる請求項１記載の電子写真感光体。
【請求項３】前記フッ素原子含有樹脂粒子が四フッ化エチレン樹脂粒子およ　びフッ化ビニリデン樹脂粒子からなる群より選択される請求項１または２　記載の電子写真感光体。
【請求項４】請求項１乃至３のいずれかに記載の電子写真感光体、静電潜像　を形成する手段、形成した静電潜像を現像する手段および現像した像を転　写材に転写する手段を有することを特徴とする電子写真装置。
【請求項５】請求項１乃至３のいずれかに記載の電子写真感光体、および帯　電手段、現像手段およびクリーニング手段からなる群より選ばれる少なく　ともひとつの手段を一体に支持し、かつ装置本体に着脱自在であることを　特徴とする装置ユニット。
　
２．原査定の理由の概要
　これに対して、原査定の理由の概要は、本願の請求項１ないし５に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない、というものである。
　　　　　　　　　　　　　　　　記
刊行物１　　特開平０４−３２８５７０号公報
刊行物２　　特開平０２−２０１４５０号公報
刊行物３　　特開平０４−３１０９５８号公報
刊行物４　　特開昭６３−０７３２６７号公報
刊行物５　　特開昭５８−０２３０３１号公報
刊行物６　　特開平０４−３１０９６０号公報
刊行物７　　特開平０１−３０６８５７号公報
刊行物８　　特開昭６１−２０５９５０号公報
刊行物９　　特開昭６２−２９５０６６号公報
刊行物１０　特開昭６０−２１３９５８号公報
刊行物１１　特開平０２−０５０１６７号公報
　
３．当審の判断
３−１．本願の請求項１に係る発明（以下、単に「本願発明」という。）と　刊行物１に記載された発明との対比・判断
(１)刊行物１には、
(1a)「【請求項１】光透過性導電性支持体上に感光層を有する電子写真感光　体において、表面層が潤滑粒子を含有し、かつ感光体を支持体側より露光　する電子写真プロセスに用いることを特徴とする電子写真感光体。
　【請求項２】前記潤滑粒子がポリテトラフルオロエチレン粒子であること　を特徴とする請求項１に記載の電子写真感光体。」に関し、
(1b)産業上の利用分野として、「本発明は電子写真感光体に関し、詳しくは　耐久特性及び画質特性に優れた有機電子写真感光体に関するものである。　」（段落【０００１】）、
(1c)従来技術として、「感光体を繰返し使用するためには表面層がこれらの　処理に対する強い耐久性を有することが肝要である。特にクリーニングに　よる表面損傷に対する耐久性は重要な項目である。一方、表面層には転写　後の残留トナーの他に、転写紙の紙粉やコロナ帯電により発生するオゾン　に起因する分解生成物が付着するので、クリーニング処理が不十分であれ　ば残留トナーの表面層への融着や表面抵抗の低下を引き起こし、従って画　質低下の原因となるものである。すなわち、低抵抗物の付着などによる画　像流れや、表面層の低抵抗化にともなう画像ボケが引き起こされる。さら　に機械的外力による摺擦傷、摩耗といった問題がある。従って繰り返し耐　久性を満足させるためには、感光体の表面層が良好なクリーニング性能す　なわち耐久性と滑り性を有することが必要であった。従来このような要求　に対して、表面層に潤滑性を付与させるような物質を添加することが試み　られていた。そのような物質として、一般的な塗膜表面改質剤、すなわち　レベリング剤、シリコンオイル等がある。また潤滑粒子を分散させる方法　もある。潤滑粒子としてはポリテトラフルオロエチレン粒子、ポリトリフ　ルオロエチレン粒子、ポリエチレン粒子、フッ化カーボン粒子などが用い　られ、特にポリテトラフルオロエチレン粒子が安価で滑り性に優れている　ことから主に使用されている。」（段落【０００４】〜【０００６】）
と記載され、
(1d)「本発明においては感光体の表面層に潤滑粒子を含有することが特徴で　ある。潤滑粒子としてはポリテトラフルオロエチレン粒子、ポリトリフル　オロエチレン粒子、ポリエチレン粒子、フッ化カーボン粒子などが用いら　れ、特にポリテトラフルオロエチレン粒子が好ましい。」
と記載されており、                             
(1e)支持体について、「本発明においては、上記材質の支持体に導電処理を　行なう。導電処理の方法は、金属又は導電物質の分散、蒸着、スパッタ、　プラズマＣＶＤ、メッキ等が挙げられる。好ましい金属又は導電物質の例　としてはＡｌ，Ａｕ，Ｃｕ，Ａｇ，Ｎｉ，Ｔｉ，Ｚｎ，Ｃｒ，Ｉｎ，Ｓｎ　，Ｐｂ，Ｆｅ等の金属又はこれらの合金、さらにはＴｉＯ２，Ｉｎ２Ｏ３　，ＳｎＯ２，アルマイト等の金属酸化物、又はこれらの金属及び金属酸化　物に塩素、ヨウ素等のハロゲン元素をドープしたものなどを挙げることが　できる。」
(1f)感光層について、「電荷発生層と電荷輸送層に機能分離した積層構造型　でも、単一層型でも良い。」、
(1g)「感光層の上に表面保護層を設けることもできる。表面保護層はポリア　ミド、ポリカーボネート、ポリエステルなどの樹脂層やこれらの樹脂に導　電性粒子を含有させた層などによって形成できる。」
と記載され、
(1h)実施例５には、支持体上に電荷発生層、電荷輸送層および表面保護層を形成した感光体が記載され、該表面保護層として、ポリカーボネート樹脂１０部とＴＨＦ３０部、クロロベンゼン３０部の混合溶媒中にポリテトラフルオロエチレン（平均粒径３μｍ）を３．５部混合して、分散させた溶液を用いたことが記載されている。
　
(２)そこで本願発明と刊行物１に記載された発明とを比較すると、刊行物１に記載された発明における支持体は導電処理が施されており（摘記事項(1e)参照）、導電性支持体であるといえる。
　また、刊行物１には、「表面保護層はポリアミド、ポリカーボネート、ポリエステルなどの樹脂層やこれらの樹脂に導電性粒子を含有させた層などによって形成できる。」（摘記事項(1g)参照）と記載されており、保護層の結着樹脂中に導電性粒子を含有させることが記載されている。
　よって、両者は、「導電性支持体上に電荷発生層、電荷輸送層および保護層をこの順に有する電子写真感光体において、該保護層が導電性粒子、フッ素原子含有樹脂粒子、及び結着樹脂を含有することを特徴とする電子写真感光体。」である点で一致しているが、以下の点では相違している。
相違点:
　本願発明では、保護層が、更に、シランカップリング剤を含有するものであるのに対し、刊行物１には、保護層が、シランカップリング剤を含有する点については記載されていない点。
　
(３)そこで以下、該相違点について検討する。
  本願明細書の請求項２の記載、及び本願明細書に記載された実施例３、１０の記載から明らかなように、本願発明における「シランカップリング剤を含有する」という構成は、導電性粒子をシランカップリング剤で表面処理する態様も含むものである。
　しかしながら、上記刊行物６〜９及び１１に記載されているように、保護層の電気抵抗を制御する目的で添加する金属粒子または金属酸化物粒子等の導電性粒子を、その結着樹脂への分散性および耐湿性を向上させために、シランカップリング剤で撥水処理すること、あるいは、表面保護層にシランカップリング剤を添加することは、本件出願前に既に周知であって、その点については、本件明細書段落【０００５】ないし【０００９】にも載されている。
　すなわち、シランカップリング剤による表面処理については、刊行物９（特開昭６２−２９５０６６号公報）に、「支持体上に光導電性層と保護層を順次積層してなる電子写真感光体において、保護層が結着樹脂中に撥水処理した金属微粉末または金属酸化物微粉末を分散してなる層であることを特徴とする電子写真感光体。」（特許請求の範囲）が記載され、撥水剤について「前記の金属あるいは金属酸化物の表面処理を行う撥水剤としては、例えばシランカップリング剤として用いられているケイ素化物がある。」（第２頁右下欄下から第８〜５行）と記載され、その効果として「１）保護層表面へのゴミ、紙粉等の付着を防止できる。２）クリーニング性が向上する。３）変化する環境条件下でも良好な複写画像が得られる。４）機械的強度の高い保護層を提供できる。」（第４頁左上欄第１４〜１９行）と記載されている。
　同様に、刊行物１１（特開平２−５０１６７号公報）には、「導電性支持体上に光導電層および表面保護層を順次積層した電子写真感光体において、表面保護層が金属酸化物微粉末を結着樹脂中分散した層からなり、金属酸化物微粉末がフッ素含有シランカップリング剤および／またはアセトアルコキシアルミニウムジイソプロピレートで表面処理されていることを特徴とする電子写真感光体。」（特許請求の範囲請求項２）と記載され、さらに、刊行物６（特開平４−３１０９６０号公報）にも、「有機または無機の微粒子をカップリング剤で処理剤で処理した後に、結着剤樹脂を加えて層形成用塗布液を調整し、この塗布液を用いて最表面側の層を形成することを特徴とする電子写真感光体の製造方法」（請求項３）に関し、「最表面側の層である保護層５を、結着剤と、無機微粒子と、カップリング剤とを必須の成分として用いて構成する。」（第２欄第３６〜３８行）と記載されている。
　また、表面保護層へのシランカップリング剤の添加については、刊行物７（特開平１−３０６８５７号公報）に、「特開昭５７−３０８４６に提案されているように平均粒径０．３μｍ以下の金属酸化物微粒子を抵抗性制御剤として保護層中に分散させることにより、可視光に対し実質的に透明にする方法がある。これらの保護層を持った感光体は感度低下も少く、保護層の機械的強度も増し、耐久性が向上する。しかし長期使用した場合、高湿あるいは急激な湿度変化の環境下で画像流れが生ずるという欠点を持つことが判明した。この画像流れを防止する方法として特開昭６２−２９５０６６に提案されているように保護層に分散する金属酸化物微粉末を撥水処理する方法が提案されているが、効果が充分でなく、残留電位が上昇する等の副作用が生じる。・・・上記課題を解決すべく従来より研究を重ねてきたが、金属酸化物微粒子を含む表面保護層にさらにある一群の化合物を含有せしめることが有効であることを知見し、本発明に至った。」と記載され、該化合物として、フッ素含有シランカップリング剤が記載されている。
　同様に、刊行物８（特開昭６１−２０５９５０号公報）には、「静電像あるいはトナー画像を保持する像保持部材においてその表面層が含フッ素シランカップリング剤を含有することを特徴とする像保持部材。」が記載され、実施例１には、ＰＴＦＥ（ポリテトタフルオロエチレン）粉末分散後のＡＢ樹脂（ポリビニルブチラール樹脂）液に、さらにシランカップリング剤を加えた場合、８万枚でも画像の劣化はなかったことが記載されている。
　してみれば、刊行物１に記載された発明において、表面保護層を、樹脂に導電性粒子を含有させた層によって形成した場合、導電性粒子として、シランカップリング剤により表面処理した導電性粒子を用いること、或いは、該表面保護層中に、さらにシランカップリング剤を添加する程度のことは、当業者であれば、上記周知事項に基づいて、当然になしうる事項にすぎない。
　
３−２．周知技術との対比・判断　
(１)上記刊行物１、３〜５に記載されているように、電子写真感光体の技術分野においては、表面層の摩擦係数の低下によるクリーニング性の向上、摩耗や傷に対する耐久性の向上、高湿下での表面劣化の防止等を目的として、フッ素含有樹脂粒子を分散した表面層を設けることは、本願出願前にすでに周知であり、特に、表面に保護層として設けた場合には、オゾンにより劣化を受けやすい電荷輸送材や電荷発生材が表面より隔離され、更に耐久性が向上することも本願出願前に既に周知である。（例えば、刊行物４の第２頁右上欄第３〜１０行参照）
　
(２)一方、前項「３−１．(３)」に記載したように、電子写真感光体上に設けられる表面保護層において、その表面保護層の電気抵抗を制御するために、シランカップリング剤で処理された導電性粒子を添加することは、本願出願前にすでに周知である。
　
(３)してみれば、本願発明は、電子写真感光体上に設けられる表面保護層において、電気抵抗の制御手段として周知の「シランカップリング剤で処理された導電性粒子の添加する」という技術手段と、摩擦係数の低減の手段として周知の「フッ素含有樹脂粒子の添加する」という技術手段とを、単に組み合わせたにすぎない。
　しかも、電子写真感光体の表面保護層において、電気抵抗を制御すること、及び摩擦係数を低減することは、いずれも、表面保護層に当然に要求される基本的事項であるから、両周知技術を組合せることは、当業者であれば当然になしうることであって、何等困難性を有するものではない。
  
３−３．本願発明の効果について
  請求人は、本願発明は、単に優れた離型性、機械的耐久性、環境安定性及び電子写真特性安定性を有するだけでなく、転写メモリーや休止メモリーの生じにくい電子写真感光体、該電子写真感光体を有する電子写真装置及び装置ユニットを提供することができるものであるのに対し、刊行物１には、感光層上の表面保護層に導電性粒子及び樹脂を含有させることが記載されているが、転写メモリーや休止メモリーといった本願発明特有の技術課題に関する記載や示唆が全く、また、刊行物２ないし１１にも、シランカップリング剤、あるいはシランカップリング剤と導電性粒子を含有する表面層を有する電子写真感光体が記載されているが、転写メモリーや休止メモリーといった本願発明特有の技術課題に関する記載や示唆が全くない、旨主張している。
　しかしながら、前述のとおり、本願発明は、刊行物１に記載された発明に、刊行物６〜９及び１１に記載されているごとき電子写真の表面保護層における周知手段を適用したにすぎないものであるか、或いは、刊行物１、３ないし５に記載された電子写真の表面保護層における周知の技術手段と、刊行物６〜９及び１１に記載された電子写真の表面保護層における周知の技術手段とを組み合わせたものである。
　してみれば、請求人が主張する上記本願発明の効果については、電子写真感光体の表面保護層において、刊行物に記載された発明に、当業者であれば当然適用するであろう周知の技術手段を適用して得られる表面保護層、或いは当業者であれば当然組み合わせるであろう周知の技術手段を組み合わせて得られる表面保護層において、転写メモリーや休止メモリーといった、技術進歩に伴って新たに発見された技術課題に対しても効果があることを単に追認したにすぎないものといわざるを得ない。
　
６．むすび
　以上のとおり、本願発明は、刊行物１に記載された発明及び刊行物３〜９、１１等に記載された当該技術分野にける周知事項に基づいて、その出願前にその発明の属する技術の分野における通常の知識を有する者が、容易に発明をすることができたものであるから、特許法第２９条第２項の規定により特許を受けることができない。
　よって、結論のとおり審決する。